(57)【特許請求の範囲】
【請求項１】
上面を有するミシンベッドと、
前記ミシンベッドに着脱可能に装着される平板状の補助テーブルと、
前記ミシンベッドに設けられ、前記ミシンベッドの後方側に設定され前記補助テーブルを前記上面と平行に保持する第一位置と、前記ミシンベッドの前方側において前記ミシンベッドから前記補助テーブルを着脱する位置に設定されている第二位置との間で前記補助テーブルを移動可能に案内する案内部材と、
前記補助テーブルに設けられ、前記案内部材と移動可能に係合する係合部材と、を備え、
前記補助テーブルは、前記第一位置と前記第二位置との間に位置しているとき、前記案内部材と前記係合部材との係合により、前記上面に対する傾きが所定の角度範囲内に制限され、
前記案内部材は、前記上面と平行に設けられ前記第一位置から前記第二位置まで延びる平板状の受け部と、前記受け部の下方に前後方向に延びて設けられ前記係合部材を前記第一位置から前記第二位置まで案内する溝部が形成された側板とを有し、
前記係合部材は、前記受け部と摺接する摺接部と、前記溝部に挿入される突起部とを有し、
さらに、前記案内部材は、前記補助テーブルが前記第二位置にある状態において、前記突起部を前記溝部に挿入又は脱出させる為の開口端部であって前記溝部の上方に接続し上端が開口している開口端部と、前記開口端部から挿入された前記突起部を回転可能に保持する保持部とを有し、
さらに、前記補助テーブルは、前記第二位置において、前記保持部に保持された前記突起部を中心として前記ミシンベッドとは反対側に設定された待避位置へ回転可能であることを特徴とするミシン。
【請求項２】
前記案内部材は、前記補助テーブルが前記第一位置にある状態において、前記摺接部の下面を前記受け部の上面に密着させる為、前記突起部が前記溝部に当接しないように下方に窪んだ窪み部を有することを特徴とする請求項１記載のミシン。
【請求項３】
前記案内部材は、前記保持部と前記溝部との間に設けられ、前記溝部の内側へ突出している凸部を有することを特徴とする請求項１又は２記載のミシン。
【請求項４】
前記ミシンベッドは、釜部材を収容するフリーアーム部を有し、
前記補助テーブルは、前記フリーアーム部が挿入される切欠部と、前記フリーアーム部に着脱可能に装着されるアタッチメント部材が前記待避位置にあるときに挿入される逃がし部と、を有することを特徴とする請求項１から３の何れか一項記載のミシン。
【請求項５】
上面を有するミシンベッドと、
前記ミシンベッドに着脱可能に装着される平板状の補助テーブルと、
前記ミシンベッドに設けられ、前記ミシンベッドの後方側に設定され前記補助テーブルを前記上面と平行に保持する第一位置と、前記ミシンベッドの前方側において前記ミシンベッドから前記補助テーブルを着脱する位置に設定されている第二位置との間で前記補助テーブルを移動可能に案内する案内部材と、
前記補助テーブルに設けられ、前記案内部材と移動可能に係合する係合部材と、を備え、
前記補助テーブルは、前記第一位置と前記第二位置との間に位置しているとき、前記案内部材と前記係合部材との係合により、前記上面に対する傾きが所定の角度範囲内に制限され、
前記案内部材は、前記上面と平行に設けられ前記第一位置から前記第二位置まで延びる平板状の受け部と、前記受け部の下方に前後方向に延びて設けられ前記係合部材を前記第一位置から前記第二位置まで案内する溝部が形成された側板とを有し、
前記係合部材は、前記受け部と摺接する摺接部と、前記溝部に挿入される突起部とを有し、
さらに、前記案内部材は、前記補助テーブルが前記第一位置にある状態において、前記摺接部の下面を前記受け部の上面に密着させる為、前記突起部が前記溝部に当接しないように下方に窪んだ窪み部を有することを特徴とするミシン。
【請求項６】
前記補助テーブルが前記第一位置にあるときに、前記案内部材の前端に設けられた第一壁部と前記係合部材の前端に設けられた第二壁部とを固定する固定部材を備えることを特徴とする請求項１から５の何れか一項記載のミシン。
【発明の詳細な説明】
【技術分野】
【０００１】
本発明は、ミシンベッドに着脱可能に装着する補助テーブルを備えたミシンに関する。
【背景技術】
【０００２】
従来、ミシンベッドに着脱可能に設けられ、ミシンベッドに装着した状態で、ミシンベッドの上面とほぼ同一高さとなる平面を有する補助テーブルを備えたミシンが知られている。例えば特許文献１は、ミシンベッドに着脱可能に装着する補助ベッド（本願の補助テーブルに相当）を備えた補助テーブル装置を開示している。
【先行技術文献】
【特許文献】
【０００３】
【特許文献１】実開昭６０−１５５４８６号公報
【発明の概要】
【発明が解決しようとする課題】
【０００４】
特許文献１に開示されている補助テーブル装置では、補助ベッド（本願の補助テーブルに相当）に固定された支え軸により、回転式支えが回動可能に設けられている。この回動式支えをミシンベッドに固定された帯状プレートの左端部に係合させた後、補助ベッドをミシンベッドに対して右方向に移動させることにより、ミシンベッドに補助ベッドが装着される。しかしながら、特許文献１の場合、補助ベッドは、回動式支えを支持する支え軸を中心として回動する。そのため、補助ベッドを着脱するとき、特に補助ベッドをミシンベッドに対して移動させるときに、補助ベッドが傾いて、ミシンアームの左方先端部である頭部の下方に配置される針棒、その針棒に装着されたミシン針、押え足などの部品と干渉するおそれがある。
【０００５】
そこで、本発明の目的は、補助テーブルをミシンベッドに対して移動させるときに、補助テーブルが頭部に配置される部品と干渉することを防止でき、補助テーブルを容易に着脱することができるミシンを提供することにある。
【課題を解決するための手段】
【０００６】
請求項１記載のミシンは、上面を有するミシンベッドと、前記ミシンベッドに着脱可能に装着される平板状の補助テーブルと、前記ミシンベッドに設けられ、前記ミシンベッドの後方側に設定され前記補助テーブルを前記上面と平行に保持する第一位置と、前記ミシンベッドの前方側において前記ミシンベッドから前記補助テーブルを着脱する位置に設定されている第二位置との間で前記補助テーブルを移動可能に案内する案内部材と、前記補助テーブルに設けられ、前記案内部材と移動可能に係合する係合部材と、を備え、前記補助テーブルは、前記第一位置と前記第二位置との間に位置しているとき、前記案内部材と前記係合部材との係合により、前記上面に対する傾きが所定の角度範囲内に制限されることを特徴とする。
【０００７】
上記の構成により、補助テーブルは、案内部材により第一位置と第二位置との間を案内される。このとき、補助テーブルは、係合部材と案内部材との係合によりミシンベッドの上面に対する傾きが所定の角度範囲内に制限される。従って、補助テーブルをミシンベッドに対して移動させるときに、補助テーブルが頭部に配置される部品に干渉することを防止できる。
【０００８】
また、前記案内部材は、前記上面と平行に設けられ前記第一位置から前記第二位置まで延びる平板状の受け部と、前記受け部の下方に前後方向に延びて設けられ前記係合部材を前記第一位置から前記第二位置まで案内する溝部が形成された側板とを有し、前記係合部材は、前記受け部と摺接する摺接部と、前記溝部に挿入される突起部とを有することを特徴とする。
【０００９】
また、前記案内部材は、前記補助テーブルが前記第二位置にある状態において、前記突起部を前記溝部に挿入又は脱出させる為の開口端部であって前記溝部の上方に接続し上端が開口している開口端部と、前記開口端部から挿入された前記突起部を回転可能に保持する保持部とを有し、前記補助テーブルは、前記第二位置において、前記保持部に保持された前記突起部を中心として前記ミシンベッドとは反対側に設定された待避位置へ回転可能であることを特徴とする。
【００１０】
請求項２記載のミシンは、請求項１記載のミシンであって、前記案内部材は、前記補助テーブルが前記第一位置にある状態において、前記摺接部の下面を前記受け部の上面に密着させる為、前記突起部が前記溝部に当接しないように下方に窪んだ窪み部を有することを特徴とする。また、請求項５記載のミシンも、同様の構成を備えている。
【００１１】
請求項３記載のミシンは、請求項１又は２記載のミシンであって、前記案内部材は、前記保持部と前記溝部との間に設けられ、前記溝部の内側へ突出している凸部を有することを特徴とする。
【００１２】
請求項４記載のミシンは、請求項１から３の何れか一項記載のミシンであって、前記ミシンベッドは、釜部材を収容するフリーアーム部を有し、前記補助テーブルは、前記フリーアーム部が挿入される切欠部と、前記フリーアーム部に着脱可能に装着されるアタッチメント部材が前記待避位置にあるときに挿入される逃がし部と、を有することを特徴とする。
【００１３】
請求項６記載のミシンは、請求項１から５の何れか一項記載のミシンであって、前記補助テーブルが前記第一位置にあるときに、前記案内部材の前端に設けられた第一壁部と前記係合部材の前端に設けられた第二壁部とを固定する固定部材を備えることを特徴とする。
【発明の効果】
【００１４】
請求項１記載のミシンによれば、補助テーブルは、案内部材により第一位置と第二位置との間を案内される。このとき、補助テーブルは、係合部材と案内部材との係合によりミシンベッドの上面に対する傾きが所定の角度範囲内に制限される。従って、補助テーブルをミシンベッドに対して移動させるときに、頭部に配置される部品と干渉することを防止できる。
【００１５】
また、補助テーブルは、摺接部が受け部に摺接するとともに、突起部が溝部に挿入される。これにより、補助テーブルは、第一位置と第二位置との間を移動可能に案内されるとともに、ミシンベッド上面に対する傾きが所定の角度範囲内に制限される。従って、簡単な構造で補助テーブルの傾きを確実に制限することができる。
【００１６】
また、突起部は、溝部の上端が開口している開口端部の上方から挿入又は脱出される。そのため、補助テーブルをミシンベッドに取り付ける場合には、突起部を溝部に容易に挿入することができる。また、補助テーブルを取り外す場合には、開口端部が溝部の上方に設けられていることから、突起部すなわち補助テーブルが下方へ落下するおそれがない。従って、補助テーブルを装着する際の取り扱いを容易にすることができる。
【００１７】
また、補助テーブルは、第二位置において、保持部に保持された突起部を中心として退避位置へ回転する。従って、補助テーブルが不要な場合、これを取り外すのではなく、容易に回転させて退避位置に移動させておくことができる。
【００１８】
請求項２記載のミシンによれば、請求項１記載の発明の効果に加え、補助テーブルが第一位置にあるとき、突起部が窪み部に落ち込むことにより、突起部と溝部との係合が解除される。これにより、係合部材の摺接部の下面は平板状の受け部の上面に密着する。従って、補助テーブルに掛かる荷重を、突起部ではなく受け部全体が支えるので、補助テーブルを強固且つ確実に支えることができる。また、請求項５記載のミシンも、同様の効果を奏することができる。
【００１９】
請求項３記載のミシンによれば、請求項１又は２記載の発明の効果に加え、係合部材の突起部は、保持部から溝部に移動するとき、又は溝部から保持部に移動するときに凸部を乗り越えるので、僅かに上下に移動する。それによって、ユーザ（操作者）には、補助テーブルを移動させる際に、クリック感が与えられる。従って、ユーザは、補助テーブルを第二位置から後方に移動させたことを、又は補助テーブルを前方に移動させて第二位置に到達したことを、触感で認識することができる。
【００２０】
請求項４記載のミシンによれば、請求項１から３の何れか一項記載の発明の効果に加え、補助テーブルは、第一位置にある場合には、フリーアーム部を切欠部に収容することにより、フリーアーム部の外形に適合させて装着することができる。従って、加工布等を適切に載置することができる。また、補助テーブルを退避位置に回転させた場合には、補助テーブルをミシンベッドから取り外すことなく、フリーアーム部を囲う形態のアタッチメント部材（例えば、帽子枠や、円筒枠等）を容易に取り付けることができる。従って、縫製作業の作業性を向上させることができる。
【００２１】
請求項６記載のミシンによれば、請求項１から５の何れか一項記載の発明の効果に加え、補助テーブルは、第一壁部と第二壁部とを固定部材により移動不能に固定される。従って、補助テーブルを第一位置に確実に位置決めした状態で固定することができる。
【図面の簡単な説明】
【００２２】
【図１】本発明の第１実施形態によるミシンを下方から見た概略斜視図
【図２】第１実施形態のミシンを左方から見た概略斜視図
【図３】第１実施形態のミシンを上方から見た概略上面図
【図４】第１実施形態の補助テーブル、係合部及び案内部材を下方から見た概略分解斜視図
【図５】第１実施形態の係合部を側方から見た概略側面図
【図６】第１実施形態の案内部材を側方から見た概略側面図
【図７】第１実施形態の補助テーブルをミシンベッドに取り付ける手順を示す図
【図８】第１実施形態の係合部を案内部材に取り付ける手順を示す図
【図９】第１実施形態の補助テーブルを待避位置に回転させる手順を示す図
【図１０】第１実施形態の補助テーブルが第二位置にある状態を示す概略斜視図
【図１１】第１実施形態の補助テーブルを待避位置に移動させた状態を示す概略斜視図
【図１２】第２実施形態の補助テーブルを待避位置に移動させた状態を示す概略斜視図
【図１３】第２実施形態のミシンにアタッチメント部材を取り付けた状態を示す概略正面図
【発明を実施するための形態】
【００２３】
以下、本発明の複数の実施形態によるミシンを図面に基づいて説明する。尚、複数の実施形態において実質的に同一の構成部位には同一の符号を付し、説明を省略する。また、各実施形態における「平行」、「垂直」という表現は、必ずしも「０°」或いは「９０°」になった状態を意味しているわけではなく、実質的に「平行」或いは「垂直」とみなせる状態を含んでいる。
【００２４】
（第１実施形態）
まず、第１実施形態によるミシンについて図１及び図２を参照しながら説明する。図１及び図２に示すミシン１０は、刺繍縫製可能な多針刺繍ミシンである。以下の説明では、ミシン１０の左右方向をＸ方向とし、前後方向をＹ方向とする（図２参照）。
【００２５】
ミシン１０は、ミシンベッド１１、脚柱部１２、アーム部１３、移送機構部１５及び補助テーブル１６などを備えている。ミシンベッド１１は、図示しない載置台の上に載置される。脚柱部１２は、ミシンベッド１１の後端から上方へ延びている。アーム部１３は、脚柱部１２の上端から前方へ延びている。ミシンベッド１１は、左右に前方へ延びる二つの脚部１７、１８を有している。これにより、ミシンベッド１１は、上方から見ると前方が開放したほぼ逆Ｕ字形状に形成されている。
【００２６】
ミシンベッド１１はシリンダベッド１４を含み、シリンダベッド１４は、ミシンベッド１１のほぼ逆Ｕ字形状の奥側の中央部から前方へ延びている。シリンダベッド１４は、ミシンベッド１１と一体に設けられている。シリンダベッド１４は、前端側の上部に針板２１を有している。針板２１は、針穴２２を有している。また、シリンダベッド１４は、前端側の内部に図示しない糸捕捉釜、糸切り機構及びピッカーなどの釜部材を収容している。このシリンダベッド１４が、フリーアーム部に相当する。
【００２７】
アーム部１３は、後端側の上方に糸立て装置２３が設けられている。糸立て装置２３は、図示しない複数の糸駒が取り付けられる。また、アーム部１３は、右側に操作パネル２４が設けられている。操作パネル２４は、操作スイッチ２５及び液晶ディスプレイ２６を有している。操作スイッチ２５は、ユーザからの各種の指示や選択、及び入力の操作を受け付ける。液晶ディスプレイ２６は、ユーザに対して必要なメッセージなどを表示する。なお、図３は、操作パネル２４の図示を省略している。
【００２８】
アーム部１３は、先端に針棒ケース２７を有している。針棒ケース２７は、左右方向であるＸ方向へ移動可能である。この針棒ケース２７は、左右方向に対し前後方向の厚みが小さな薄型の箱状に形成されている。針棒ケース２７は、内部に左右方向へ並列する複数本の針棒２８を上下へ移動可能に支持している。図１及び図２に示す本実施形態の場合、針棒ケース２７は１０本の針棒２８を支持している。これらの針棒２８は、いずれも図示しないコイルばねのばね力により、上方へ向けて押し上げられている。また、これらの針棒２８は、いずれもその下端部が針棒ケース２７の下端から下方へ突出している。そして、これらの針棒２８は、針棒ケース２７から突出する下端部に刺繍用の縫針３１が交換可能に取り付けられる。
【００２９】
各針棒２８の下方には、各針棒２８の上下への移動に同期して上下へ移動する刺繍用押え足３２が設けられている。また、針棒ケース２７の上方には、複数の針棒２８にそれぞれ対応する複数の天秤３３が設けられている。これらの天秤３３は、その先端が針棒ケース２７の前方側に上下へ延びて形成されているスリット３４をそれぞれ貫いて前方へ突出している。これにより、各天秤３３は、針棒２８の上下への移動に同期して上下へ揺動する。
【００３０】
針棒ケース２７は、その上端から斜め後方へ延びる上部カバー３６が一体に設けられている。上部カバー３６は、針棒２８の数に対応する複数の糸調子器３７が設けられている。また、上部カバー３６は、上端部に針棒２８の数に対応する複数の糸切れセンサ３８が設けられている。本実施形態のように１０本の針棒２８を備えるミシン１０の場合、糸調子器３７及び糸切れセンサ３８はそれぞれ１０個ずつ設けられている。これにより、図示しない上糸は、糸立て装置２３に取り付けられた糸駒から引き出され、糸切れセンサ３８、糸調子器３７及び天秤３３などの所定の経路を順位通され、最後に縫針３１の図示しない目孔に通される。このとき、１０本の縫針３１にそれぞれ異なる色の上糸を供給することにより、複数の色の上糸による刺繍縫製動作は自動で切り替えながら連続的に実施可能である。
【００３１】
脚柱部１２は、内部に図示しないミシンモータを収容している。また、アーム部１３は、周知のミシンと同様にミシンモータにより駆動される図示しない主軸、この主軸の回転により針棒２８などを上下へ駆動する図示しない針棒上下駆動機構、及び針棒ケース２７をＸ方向へ移動して針棒２８を選択する図示しない針棒選択機構などが設けられている。図示しない糸捕捉釜は、主軸の回転によって針棒２８の上下方向の移動に同期して駆動される。
【００３２】
針棒上下機構は、針棒２８に設けられた図示しない針棒抱きに選択的に係合する図示しない上下動部材を有している。針棒選択機構は、図示しない針棒選択用モータを駆動源として針棒ケース２７をＸ方向へ移動させる。これにより、針棒選択機構は、複数の針棒２８のうち針穴２２の真上に位置する針棒２８を、上下動部材に係合させる。この構成により、選択された一本の針棒２８及びその針棒２８に対応する天秤３３は、針棒上下駆動機構により上下方向へ駆動される。この針棒ケース２７が頭部に相当し、以降、頭部６３とする。
【００３３】
移送機構部１５は、脚柱部１２の前方においてミシンベッド１１の上方に設けられている。移送機構部１５は、刺繍縫製を実施する場合、刺繍縫製が施される加工布を保持する図示しない刺繍枠が着脱可能に取り付けられる。なお、加工布を保持する刺繍枠は、縫製対象となる加工布の大きさや縫製範囲に応じて大きさや形状の異なる複数種類が用意される。
【００３４】
移送機構部１５は、Ｙ方向キャリッジ４１、Ｘ方向キャリッジ４２及び枠ホルダ４３を有している。Ｘ方向キャリッジ４２は、Ｙ方向キャリッジ４１に設けられている。枠ホルダ４３は、Ｘ方向キャリッジ４２に設けられている。移送機構部１５は、図示しないＹ方向駆動機構及びＸ方向駆動機構を有している。Ｙ方向駆動機構は、ミシンベッド１１の内側に収容されており、Ｙ方向キャリッジ４１をＹ方向である前後方向へ駆動する。また、Ｘ方向駆動機構は、Ｙ方向キャリッジ４１の内側に収容されており、Ｘ方向キャリッジ４２及び枠ホルダ４３をＸ方向である左右方向へ駆動する。これにより、枠ホルダ４３に取り付けられる刺繍枠は、移送機構部１５によりＸ方向及びＹ方向の二方向へ自在に移送される。
【００３５】
Ｙ方向キャリッジ４１は、左右方向へ延びる箱形状であり、ミシンベッド１１の脚部１７と脚部１８との間に掛け渡されている。脚部１７及び脚部１８は、上部に前後方向へ延びるガイド溝４４を有している。図示しないＹ方向駆動機構は、このガイド溝４４を上下に貫いてガイド溝４４に沿って前後に移動可能な図１に示す移動部４５を有している。この移動部４５は、上端がＹ方向キャリッジ４１の左右の両端部に接続されている。
【００３６】
Ｙ方向駆動機構は、図示しないステッピングモータからなるＹ方向駆動モータ、並びに図示しないタイミングプーリ及びタイミングベルトなどを有する直線移動機構から構成されている。Ｙ方向キャリッジ４１は、Ｙ方向駆動モータを駆動源として直線移動機構により移動部４５を前後に移動させることにより、前後方向へ自在に駆動される。
【００３７】
Ｘ方向キャリッジ４２は、一部がＹ方向キャリッジ４１の前端側の下方から前方へ突出するとともに、左右方向へ延びる板状に形成されている。このＸ方向キャリッジ４２は、Ｙ方向キャリッジ４１に対しＸ方向へ滑り移動可能に支持されている。Ｙ方向キャリッジ４１に収容されているＸ方向駆動機構は、図示しないステッピングモータからなるＸ方向駆動モータ、並びに図示しないタイミングプーリ及びタイミングベルトなどを有する直線移動機構から構成されている。Ｘ方向キャリッジ４２は、Ｘ方向駆動モータを駆動源とする直線移動機構により左右方向へ自在に駆動される。
【００３８】
次に、補助テーブル１６について詳細に説明する。
補助テーブル１６は、図１に示すようにミシンベッド１１の上方に着脱可能に取り付けられる。この補助テーブル１６は、テーブル本体５１及び係合部５５を備えている。テーブル本体５１は、下面部５４と、この下面部５４の反対側の上面部５７とを有している。ミシン１０を図示しない載置台に載置したとき、テーブル本体５１において重力方向上方が上面部５７であり、重力方向下方が下面部５４である。ここで、図２に示すように、補助テーブルがミシンベッド１１に装着されたとき、上面部５７は、シリンダベッド１４の上面と平行且つほぼ同一高さになるように設定されている。
【００３９】
テーブル本体５１は、単一の矩形部分又は複数の矩形部分を組み合わせた板状に形成されている。本実施形態の場合、テーブル本体５１は、図４に示すように、大きな矩形状の台板部６１と、この台板部６１から後方側へ突出する矩形状の挿入部６２とを有している。挿入部６２には、左右方向中央部に後方側から前方側へ延び、シリンダベッド１４が収容される切欠部５２が形成されている。この切欠部５２は、図２に示すように、シリンダベッド１４の前端面と左右両側面を囲うような形状に形成されている。また、テーブル本体５１の前方における左右方向ほぼ中央には、ユーザが手指を掛けて把持する為の長方形の角を丸くした形状の指掛け穴５３が形成されている。なお、この指掛け穴５３は、貫通穴ではなく、凹形状の窪み（所謂めくら穴）であってもよい。また、凹形状の窪みを形成する場合は、下面部５４に形成するのが望ましい。
【００４０】
係合部５５は、係合部材に相当し、図１及び図４に示すように、テーブル本体５１の下面部５４側の２箇所に取り付けられている。係合部５５は、図４及び図５に示すように、板部材５５１、段差部５５２、ピン５５３及び取付板５５４を有している。この係合部５５は、ミシンベッド１１に設けられている案内部材５６と係合する。
【００４１】
係合部５５の板部材５５１は、テーブル本体５１の下面部５４に対して垂直下方に立ち下がった状態で、テーブル本体５１の前後方向に延びて設けられている。段差部５５２は、板部材５５１の立ち下がり方向における中央付近に設けられている。段差部５５２は、板部材５５１をクランク状に折り曲げることにより、テーブル本体５１と平行な板状に形成されている。この段差部５５２は、摺接部に相当し、テーブル本体５１を前後に移動させるとき、案内部材５６と摺接する。
【００４２】
ピン５５３は、突起部に相当し、板部材５５１の後端側において、段差部５５２の下方に設けられている。本実施形態では、ピン５５３は、円柱状の金属で形成され、板部材５５１に取り付けられている。ピン５５３は、板部材５５１から案内部材５６側へ突出している。また、ピン５５３の上方には、板部材５５１及び段差部５５２の一部が切り取られた逃げ穴５５５が設けられている。
【００４３】
取付板５５４は、板部材５５１の上端に設けられている。取付板５５４は、板部材５５１の上端を折り曲げることにより、テーブル本体５１の下面部５４と平行な板状に形成されている。つまり、取付板５５４は、段差部５５２と平行に形成されている。この取付板５５４は、図示しないねじによりテーブル本体５１の下面部５４に固定される。これにより、係合部５５は、テーブル本体５１の下面部５４側に取り付けられる。
【００４４】
案内部材５６は、図１に示すように、前後方向に延びる形状であって、ミシンベッド１１の脚部１７、１８の内側上端にそれぞれ取り付けられている。このとき、案内部材５６が取り付けられる位置は、補助テーブル１６に取り付けられている係合部５５に相対する位置である。
【００４５】
案内部材５６は、図４及び図６に示すように、受け部５６１と、溝５６２を形成する側板５６３とを有している。案内部材５６の受け部５６１は、平板状に形成されている。案内部材５６は、この受け部５６１がシリンダベッド１４の上面と平行となるように、図示しないねじにより、脚部１７、１８の内側上端にそれぞれ取り付けられている。
【００４６】
側板５６３は、受け部５６１の端部から下方に延びる板状に形成されている。側板５６３は、受け部５６１と同様に、前後方向に延びる形状である。側板５６３は、内側に前後方向に延びる溝５６２が形成されている。この溝５６２の上下方向の幅は、係合部５５のピン５５３の直径よりも僅かに大きく形成されている。このため、ピン５５３は、溝５６２と係合したとき、溝５６２に沿って前後方向に移動可能である。
【００４７】
また、側板５６３は、溝５６２の前端側に、開口端部５６６及び保持部５６７を有している。開口端部５６６は、溝５６２の前端付近で上方が開口するように形成されている。開口端部５６６の開口部分は、係合部５５のピン５５３の直径よりも僅かに大きく形成されている。このため、ピン５５３は、この開口端部５６６から挿入又は脱出することができる。
【００４８】
保持部５６７は、開口端部５６６の下方に設けられている。保持部５６７は、溝５６２に接続している。保持部５６７は、係合部５５のピン５５３の半径よりも僅かに大きな円弧状に形成されている。また、保持部５６７の円弧の最下端部は、溝５６２の下面よりも下方に位置している。また、側板５６３は、溝５６２と保持部５６７との間に凸部５６８を有している。凸部５６８の最上端部は、溝５６２の下面よりも僅かに上方に突出している。このため、開口端部５６６から挿入されたピン５５３は、保持部５６７で前後方向に軽く保持され、この位置で回転が可能である。このように、ピン５５３が保持部５６７に位置しているとき、補助テーブル１６が第二位置にあるという。
【００４９】
一方、側板５６３は、溝５６２の後端側に窪み部５６９を有している。窪み部５６９は、保持部５６７と同様に、ピン５５３の半径よりも僅かに大きく形成されている。窪み部５６９の最下端部は、溝５６２の下面よりも下方に位置している。ここで、本実施形態では、窪み部５６９の最下端部と受け部５６１の上面との距離Ｌ１（図６参照）は、係合部５５の段差部５５２の下面とピン５５３の最下端部との距離Ｌ２（図５参照）よりも大きく設定されている。そのため、ピン５５３は、溝５６２の後端側に案内されたとき、溝５６２との係合が解除され、窪み部５６９に位置する。このとき、段差部５５２と受け部５６１とが面で接触する状態となる。つまり、ピン５５３の最下端部は、窪み部５６９の最下端部には接触しておらず、僅かに隙間がある状態になっている。このように、ピン５５３が窪み部５６９に位置しているとき、補助テーブル１６が第一位置にあるという。
【００５０】
また、案内部材５６は、前端に第一壁部５７１を有している。第一壁部５７１は、補助テーブル１６が後端側へ押し込まれたときに、即ち、補助テーブルが第一位置のとき、係合部５５の前端に設けられている第二壁部５５９と当接する。この第一壁部５７１には、固定部材に相当する固定ねじ７０（図８参照）が挿入される固定ねじ挿入部５７０が設けられている。固定ねじ挿入部５７０は、固定ねじ７０のねじ部が上下方向に挿脱可能なＵ字形状の切り欠きであり、係合部５５の第二壁部５５９に設けられている固定ねじ穴５５８に対応する位置に設けられている。
【００５１】
次に、上記で説明したミシン１０の作用について説明する。
まず、補助テーブル１６をミシン１０に取り付ける場合、補助テーブル１６は、図７（Ａ）に示すように、上方から案内部材５６に取り付けられる。尚、図７には、説明の簡略化のために要部のみを示している。このとき、係合部５５のピン５５３は、図７（Ｂ）に示すように、開口端部５６６から溝５６２に挿入される。このように、補助テーブル１６を取り付ける場合には、ピン５５３は、溝５６２に上方から挿入される。
【００５２】
続いて、補助テーブル１６を図７（Ｂ）の状態よりさらに下方に押し込むと、ピン５５３は、保持部５６７に軽く保持される。このとき、上述したように、補助テーブル１６がこの位置にあるときを、第二位置にあるという。そして、その後、補助テーブル１６は、図７（Ｃ）に示すように、手前側（図示左方）が少し持ち上げられた状態で後方へ押し込まれる。補助テーブル１６が後方に押し込まれるとき、ピン５５３は、保持部５６７から溝５６２側に移動する際に凸部５６８を乗り越えるので、僅かに上下に移動する。そのため、補助テーブル１６を把持して移動させているユーザは、補助テーブル１６の移動を開始したときに軽いクリック感が得られる。これにより、ピン５５３が保持部５６７から溝５６２側に移動したことが認識される。
【００５３】
補助テーブル１６の移動中には、係合部５５のピン５５３は、溝５６２と係合している。すなわち、ピン５５３は、溝５６２の上面と下面とに挟まれている。そのため、補助テーブル１６は、上下方向への移動が制限される。このとき、補助テーブル１６を、ピン５５３を中心として傾動させようとすると、段差部５５２の後端部が受け部５６１の上面に接触するか、又は段差部５５２の下面が受け部５６１の前端部に接触する。例えば、図７（Ｃ）に示すように補助テーブル１６の手前を少し持ち上げた状態で後方へ移動させるときには、段差部５５２の後端部が受け部５６１の上面と接触しながら移動する。このように、補助テーブル１６は、ピン５５３を中心としてそれ以上傾動することはできない。
【００５４】
つまり、補助テーブル１６は、移動中において、ピン５５３を中心とした傾動が、溝５６２と係合しているピン５５３、及び段差部５５２と受け部５６１との接触により制限されている。換言すると、補助テーブル１６は、移動中の傾きが縫針３１や刺繍用押え足３２などのミシンベッド１１の上方に位置している頭部６３に設けられている部品に接触しない角度範囲内に制限されている。
【００５５】
続いて、補助テーブル１６は、図７（Ｄ）に示すように案内部材５６の後端近くまで押し込まれる。この場合、係合部５５の第二壁部５５９は、図８（Ａ）に示すように、案内部材５６の第一壁部５７１を乗り越えて溝５６２側に移動する。そして、係合部５５のピン５５３は、溝５６２から窪み部５６９に移動する。このとき、ピン５５３は、溝５６２の下端から窪み部５６９に落ち込む。これにより、ユーザは軽いクリック感が得られる。このため、補助テーブル１６が後方まで押し込まれたことが認識される。このとき、上述したように、補助テーブル１６がこの位置にあるときを、第一位置にあるという。また、Ｕ字形状の切り欠きである固定ねじ挿入部５７０の上端が開口しているので、係合部５５の第二壁部５５９は、仮止めされた固定ねじ７０を取り付けたまま第一壁部５７１を乗り越える。ここで、固定ねじ７０は、第二壁部５５９に仮止めしておくのではなく、後で取り付けるようにしてもよい。
【００５６】
そして、図８（Ｂ）に示すように、第二壁部５５９を第一壁部５７１に当接させた状態で固定ねじ７０により固定する。これにより、係合部５５が案内部材５６に固定され、補助テーブル１６は、前後方向へ移動不能となり第一位置にて固定される。
【００５７】
補助テーブル１６が第一位置に位置するとき、図７（Ｅ）に示すように、係合部５５のピン５５３が窪み部５６９に落ち込んでいる。上記したように、窪み部５６９と受け部５６１との距離Ｌ１は、係合部５５の段差部５５２とピン５５３との距離Ｌ２よりも大きく設定されている。そのため、窪み部５６９に落ち込んだピン５５３は、溝５６２との係合が解除されるとともに、窪み部５６９には当接しない。これにより、補助テーブル１６に掛かる荷重は、ピン５５３には掛からない。
【００５８】
さらに、ピン５５３が窪み部５６９に落ち込んだ状態では、係合部５５の段差部５５２は、その下面が案内部材５６の受け部５６１の上面に接触する。つまり、係合部５５と案内部材５６とが密着する。その結果、補助テーブルに掛かる荷重を、突起部ではなく受け部５６１全体が支えるので、補助テーブル１６を強固且つ確実に支えることができる。また、補助テーブル１６の上面部５７とシリンダベッド１４の上面とをほぼ平行に支えることができる。このように、補助テーブル１６はミシン１０に取り付けられる。
【００５９】
一方、補助テーブル１６をミシン１０から取り外す場合には、固定ねじ７０を緩めるか又は外した後、まず補助テーブル１６の前端を上方へ少し持ち上げて第二壁部５５９と第一壁部５７１との接触、及び係合部５５の段差部５５２と案内部材５６の受け部５６１の上面との接触を解除する。そして、補助テーブル１６を前方へ引き戻す。このとき、ユーザは、指掛け穴５３を把持して補助テーブル１６を移動させるようにすれば、補助テーブル１６を容易に移動させることができる。また、このとき、補助テーブル１６は、ピン５５３が溝５６２と係合した状態で前方へ移動される。続いて、補助テーブル１６を前方まで引き戻した後、つまり第二位置まで移動させた後、補助テーブル１６を上方へ引き上げる。これにより、ピン５５３と溝５６２との係合が解除され、補助テーブル１６はミシン１０から取り外される。
【００６０】
この場合、補助テーブル１６を取り付ける場合と同様に、補助テーブル１６は、段差部５５２の前端と受け部５６１の上面とが摺接しながら移動する。そのため、補助テーブル１６の傾きは所定の角度範囲内に制限される。これにより、移動中の補助テーブル１６が頭部６３の部品に干渉することが防止される。
【００６１】
また、ピン５５３は、溝５６２から保持部５６７に移動するときに凸部５６８を乗り越える。これにより、補助テーブル１６を把持しているユーザには、軽いクリック感が与えられる。そのため、補助テーブル１６が着脱可能な位置である第二位置に移動したことが容易に認識される。
【００６２】
ところで、補助テーブル１６が第二位置にある状態では、図９（Ａ）に示すように、ピン５５３が保持部５６７に回転可能に保持されている。そのため、補助テーブル１６は、同図（Ｂ）に示すように、ピン５５３を中心として前下がり方向（右側面視で反時計回り方向）に回転可能である。このとき、ピン５５３の上方の段差部５５２には逃げ穴５５５が設けられている。そのため、補助テーブル１６を回転させたとしても、案内部材５６の受け部５６１と係合部５５の段差部５５２とは互いに接触しない。その結果、補助テーブル１６は、図９（Ｃ）に示すように、案内部材５６に対して、ほぼ垂直になる状態まで回転する。つまり、図９（Ｃ）は、補助テーブル１６が、ミシンベッド１１とは反対側に設定された待避位置に移動した状態を示している。また、このとき、ユーザは、指掛け穴５３を把持して補助テーブル１６を移動させるようにすれば、補助テーブル１６を第二位置と退避位置とにわたって容易に移動させることができる。
【００６３】
このように、本実施形態のミシン１０では、補助テーブル１６が図９（Ａ）、図１０に示すように第二位置にある場合は、補助テーブル１６を取り外すようにしてもよいし、又は、図９（Ｃ）、図１１に示すように待避位置に移動させるようにしてもよい。つまり、縫製作業に合せて、ユーザが適宜選択すればよい。
【００６４】
以上説明した第１実施形態のミシン１０は、以下のような効果を奏する。
補助テーブル１６は、ミシン１０に取り付けられるとき、係合部５５と案内部材５６との係合により、着脱する位置である第二位置と、ミシンベッド１１の上面と平行に保持される第一位置との間を案内される。そのため、補助テーブル１６を容易に移動させることができる。
【００６５】
補助テーブル１６は、第一位置と第二位置との間を移動しているときには、係合部５５のピン５５３と案内部材５６の溝５６２との係合、及び段差部５５２と受け部５６１との接触により、ミシンベッド１１の上面に対する補助テーブル１６の上面部５７の傾きが所定の角度範囲内に制限される。従って、補助テーブル１６をミシンベッド１１に対して移動させるとき、補助テーブル１６が縫針３１や刺繍用押え足３２などの頭部６３に設けられている部品と干渉することを防止できる。
【００６６】
補助テーブル１６は、係合部５５に設けられたピン５５３と案内部材５６に設けられた溝５６２との係合により、第一位置と第二位置との間を移動可能に案内される。従って、簡単な構造で補助テーブル１６を案内することができる。また、補助テーブル１６を移動させるための案内機構をシンプル且つ安価に提供することができる。
【００６７】
案内部材５６は、係合部５５のピン５５３を溝５６２に挿入又は脱出させる為の開口が上方に形成された開口端部５６６を有している。そのため、ピン５５３を溝５６２に挿入又は脱出させるとき、つまり第二位置において補助テーブル１６を着脱するときには、補助テーブル１６は溝５６２の上方から着脱される。従って、補助テーブル１６をミシンベッド１１に取り付ける場合には、ピン５５３を溝５６２に容易に挿入することができる。また、補助テーブル１６を取り外す場合には、開口が溝５６２の上方に設けられていることから、補助テーブル１６が下方へ落下するおそれがない。従って、補助テーブル１６を装着する際の取り扱いを容易にすることができる。
【００６８】
補助テーブル１６は、第二位置において、ピン５５３が保持部５６７に回転可能に保持されていることから、補助テーブル１６をミシンベッド１１とは反対側に設定された待避位置へ容易且つスムーズに回転させることができる。
【００６９】
係合部５５のピン５５３は、補助テーブル１６が第一位置にある場合には、窪み部５６９に落ち込むことにより溝５６２との係合が解除される。これにより、係合部５５の段差部５５２の下面は、案内部材５６の受け部５６１の上面に密着する。従って、補助テーブル１６に掛かる荷重を、ピン５５３ではなく受け部５６１全体が支えるので、補助テーブル１６を強固且つ且つ確実に支えることができる。
【００７０】
ピン５５３が溝５６２から窪み部５６９に移動するとき、又は、窪み部５６９から溝５６２に移動するときにクリック感が与えられる。これにより、ユーザは、補助テーブル１６が第一位置に移動したことを容易に認識することができる。
【００７１】
係合部５５のピン５５３は、保持部５６７から溝５６２に移動するとき、又は溝５６２から保持部５６７に移動するときに、保持部５６７と溝５６２との間に設けられている凸部５６８を乗り越える。これにより、補助テーブル１６を移動させるときにクリック感が与えられる。従って、ユーザは、補助テーブル１６が第二位置に移動したことを容易に認識することができる。
【００７２】
補助テーブル１６が第一位置にある状態では、案内部材５６の第一壁部５７１と係合部５５の第二壁部５５９とは、固定ねじ７０で固定されている。よって、補助テーブルは確実に固定され、例えば、縫製時に補助テーブル１６ががたつくことが無い。
【００７３】
補助テーブル１６のテーブル本体５１に切欠部５２を設けたので、補助テーブル１６を第一位置に移動させた場合であっても、シリンダベッド１４の外形に適合させて装着することができる。
【００７４】
（第２実施形態）
第２実施形態によるミシンを図１２及び図１３に示す。第２実施形態のミシンは、補助テーブルのテーブル本体の形状のみが第１実施形態と異なっている。
第２実施形態のミシン１００は、補助テーブル１０１を備えている。補助テーブル１０１は、図１２に示すように、テーブル本体１０２の後端側に設けられている切欠部５２に繋がった逃げ部１０３を有している。逃げ部１０３は、切欠部５２の中央付近からテーブル本体１０２の外側に向かって広がる円弧状に形成されている。本実施形態の場合、逃げ部１０３の内周側の幅は、帽子や円筒状の立体的な加工布を刺繍縫製するために用いる帽子枠や円筒枠などのアタッチメント部材１０４の外形よりも大きく設定されている。ここで、帽子枠や円筒枠は周知の構成のものであるので、説明は省略する。このアタッチメント部材１０４は、シリンダベッド１４を囲うように取り付けられる。
【００７５】
補助テーブル１０１を待避位置に移動させた場合、図１３に示すように、逃げ部１０３とシリンダベッド１４との間に、アタッチメント部材１０４の外形よりも大きな空間が形成される。つまり、補助テーブル１０１に逃げ部１０３を設けることにより、ミシン１００の正面側からアタッチメント部材１０４をシリンダベッド１４に装着することが可能になる。
【００７６】
このように、第二実施形態のミシン１００は、補助テーブル１０１をミシンベッド１１に取り付けた状態であっても、アタッチメント部材１０４の着脱が可能になる。従って、アタッチメント部材１０４を用いる縫製作業をする場合の作業性を向上させることができる。
【００７７】
また、補助テーブル１０１を第一位置に移動させた場合、シリンダベッド１４は切欠部５２及び逃げ部１０３に収容される。そのため、平面的な加工布を縫製する場合にも、補助テーブル１０１を使用することができる。勿論、補助テーブル１０１の下面側には係合部５５が設けられ、ミシンベッド１１には案内部材５６が設けられている。そのため、補助テーブル１０１の傾きを所定の角度範囲内に制限しつつ移動させることができるなど、第一実施形態と同様の効果も奏する。
【００７８】
（その他の実施形態）
本発明は、以上説明した各実施形態に限定されるものではなく、その要旨を逸脱しない範囲で種々の実施形態に適用可能であり、例えば次のように変形又は拡張することができる。
ピン５５３で突起部を構成したが、突起部の形状はこれに限定されない。例えば、円錐状、三角錐や四角錐などの形状であってもよい。或いは、板部材５５１の前端側の一部を案内部材５６側に折り曲げることにより突起部を形成してもよい。
【００７９】
係合部５５にピン５５３を設け、案内部材５６に溝５６２を設けたが、係合部５５に溝部を設け、案内部材５６に突起部を設ける構成としてもよい。要するに、係合部５５と案内部材５６は、第一位置と第二位置との間で補助テーブル１６の傾きを制限しつつ案内可能な構成であればよい。
【００８０】
凸部５６８の形状は適宜変更が可能である。要するに、係合部５５のピン５５３が保持部５６７から溝５６２へ、又は、溝５６２から保持部５６７へ移動したことをユーザが認識できる形状であればよい。
【００８１】
第二実施形態において円弧状の逃げ部１０３を設けたが、逃げ部１０３の形状はこれに限定されない。例えば矩形状するなど、補助テーブル１０１を待避位置に移動させたときに、アタッチメント部材１０４が着脱可能である形状であればよい。
【符号の説明】
【００８２】
１０、１００  ミシン
１１  ミシンベッド
１４  シリンダベッド（フリーアーム部）
１６、１０１  補助テーブル
５２  切欠部
５５  係合部（係合部材）
５６  案内部材
７０  固定ねじ（固定部材）
１０３  逃げ部（逃がし部）
１０４  アタッチメント部材
５５２  段差部（摺接部）
５５３  ピン（突起部）
５５９  第二壁部
５６１  受け部
５６２  溝
５６３  側板
５６６  開口端部
５６７  保持部
５６９  窪み部
５７１  第一壁部
【図１】
0005521445.tif 000002
【図２】
0005521445.tif 000003
【図３】
0005521445.tif 000004
【図４】
0005521445.tif 000005
【図５】
0005521445.tif 000006
【図６】
0005521445.tif 000007
【図７】
0005521445.tif 000008
【図８】
0005521445.tif 000009
【図９】
0005521445.tif 000010
【図１０】
0005521445.tif 000011
【図１１】
0005521445.tif 000012
【図１２】
0005521445.tif 000013
【図１３】
0005521445.tif 000014